(57)【要約】【課題】  着用者の動作時の身体の動きに追随してバストを支持でき、且つ着用者の動作によって生じるバストの脇流れやずれを抑制することを同時に達成できる運動追随性ブラジャーの提供。【解決手段】  左右１対のカップ部、カップ部の下部に位置する右カップ台および左カップ台からなる２枚のカップ台、左右２枚の脇布、ならびに右肩紐および左肩紐からなる左右２本の肩紐を備え、カップ部は、裏布、当て布および表布から構成されており、当て布は、カップ部のバストポイントからカップ中心とは反対側のカップ部の縁部に亘って設けられており、右カップ台は、右カップ部の下縁部および左右２枚の脇布に縫着されており、左カップ台は、左カップ部の下縁部および左右２枚の脇布に縫着されており、２枚のカップ台は互いに縫着されておらず、それぞれ独立した状態で遊離している、運動追随性ブラジャーとする。【選択図】  図１
2020128605.tif 000002
【特許請求の範囲】
【請求項１】
右カップおよび左カップからなる左右１対のカップ部、前記カップ部の下部に位置する右カップ台および左カップ台からなる２枚のカップ台、右脇布および左脇布からなる左右２枚の脇布、ならびに右肩紐および左肩紐からなる左右２本の肩紐を備え、
前記カップ部は、裏布、当て布および表布から構成されており、
前記当て布は、前記カップ部のバストポイントからカップ中心とは反対側の前記カップ部の縁部に亘って設けられており、
前記右カップ台は、前記右カップ部の下縁部および前記左右２枚の脇布に縫着されており、
前記左カップ台は、前記左カップ部の下縁部および前記左右２枚の脇布に縫着されており、
前記２枚のカップ台は互いに縫着されておらず、それぞれ独立した状態で遊離していることを特徴とする、運動追随性ブラジャー。
【請求項２】
前記カップ部は、着用者の肌側から、前記裏布、前記当て布および前記表布の順で積層されて構成されていることを特徴とする、請求項１に記載の運動追随性ブラジャー。
【請求項３】
前記裏布および前記表布は、伸縮性の素材から形成されていることを特徴とする、請求項１または２に記載の運動追随性ブラジャー。
【請求項４】
前記当て布は、前記裏布および前記表布よりも伸縮性の小さい伸縮性の素材から形成されていることを特徴とする、請求項１乃至３のいずれか１項に記載の運動追随性ブラジャー。
【請求項５】
前記カップ部は、着用者の肌側から、前記裏布、パッド、前記当て布、および前記表布の順で積層されて構成されており、
前記パッドは、前記裏布、前記当て布および前記表布とは縫着されていないことを特徴とする、請求項１乃至４のいずれか１項に記載の運動追随性ブラジャー。
【請求項６】
前記パッドは、前記カップ部から取り外し可能であることを特徴とする、請求項１乃至５のいずれか１項に記載の運動追随性ブラジャー。
【請求項７】
前記カップ部は、前記カップ台のカップくり長に対して長くなるように裁断されており、前記カップ台にいせ込んで縫着されていることを特徴とする、請求項１乃至６のいずれか１項に記載の運動追随性ブラジャー。
【請求項８】
前記当て布は、前記カップ部の前記バストポイントから前記カップ中心とは反対側の前記カップ部の縁部に縫着されていることを特徴とする、請求項１乃至７のいずれか１項に記載の運動追随性ブラジャー。
【発明の詳細な説明】
【技術分野】
【０００１】
本発明は、運動追随性ブラジャーに関する。
より詳しくは、着用者の動作時の身体の動きに追随してバストを支持でき、且つ着用者の動作によって生じるバストの脇流れやずれを抑制することを同時に達成できる運動追随性ブラジャーに関するものである。
【背景技術】
【０００２】
従来から、ブラジャーは、着用者のバストの形をきれいに整えることを主な目的の一つとしている。
しかしながら、洗濯物を干したり取り入れたりするときなど、着用者が、腕を上下や前後方向に動かす、身体を捩じる、あるいは胸部を捩じる等といった上半身の運動の際に、着用者のバストの動きにブラジャーのカップ部が追随できず、カップ部とバストの位置がずれ、その結果バストの形状が崩れたり、着用者に着心地の悪さや違和感が生じる等、ブラジャーの着用性が悪くなるという問題点があった。
【０００３】
叙上の問題点を解決するために、例えば、特許文献１には、内側縁から外側縁に向かって伸縮性の漸減する複数本のゴム紐を一本の円弧帯状に形成したカーブビングゴムを用いたスポーツブラジャーであって、アンダーベルト、サイドベルト及びストラップがカービングゴムで形成され、アンダーベルトの上縁、サイドベルトの外縁及びストラップの外縁にカービングゴムの外側縁を配して立体的にカップ枠を形成し、該カップ枠に伸縮性を有する生地からなるカップ体を縫着してなることを特徴とするスポーツブラジャーが開示されている。
すなわち、このブラジャーは、ブラジャー全体が伸縮性の素材で形成されており、激しい運動に追従できることが記載されている。
【０００４】
また、特許文献２には、腕を上下や前後に動かしたり身体を捩じらせた際や、洗濯物を干したり取り入れたりする時、掃除をする時など、胸部を捩じらせる上半身の運動を要する通常の家事労働の際に、カップ部が身体の動きにスムーズに対応して、カップ部と乳房の位置がずれることを防ぐことを目的としたブラジャーが開示されている。
具体的には、左右１対のカップ部、該カップ部の下部に位置する２枚のカップ台、及び左右２枚の脇布からなるブラジャーであって、前記２枚のカップ台が、右カップ部の下縁部と左右２枚の脇布に縫着されてなる右カップ台及び、左カップ部の下縁部と左右２枚の脇布に縫着されてなる左カップ台であり、該右カップ台と該左カップ台は縫着されておらず、それぞれ独立した状態で遊離していることを特徴とするブラジャーが開示されている。
【先行技術文献】
【特許文献】
【０００５】
【特許文献１】特開２０００−２２０００５号公報
【特許文献２】特許第３３７３７９３号
【発明の概要】
【発明が解決しようとする課題】
【０００６】
叙上の通り、運動追随性を高めるために、特許文献１〜２に記載のブラジャーが知られていた。
しかしながら、特許文献１に記載のブラジャーは、ブラジャー全体が伸縮性の素材であるため、バストを身体前中央に寄せる機能が損なわれ、バストを良好に保持できない（つまり、バストの脇流れやずれを防止できない）という問題を有していた。
【０００７】
また、特許文献２に記載のブラジャーも、カップ部を補強する部材がないため、着用者の動作時に生じる左右のカップ台の独立した動きに対してバストを良好に保持できない（つまり、バストの脇流れやずれを防止できない）という問題を有していた。
【０００８】
叙上のとおり、特許文献１〜２を含む従来のブラジャーには、着用者の動作時の身体の動きに追随してバストを支持でき、且つ着用者の動作によって生じるバストの脇流れやずれを抑制することを同時に達成できるものはなかった。
【０００９】
本発明は、上記したような従来技術の問題点を解決すべくなされたものであって、カップ部を裏布、パッドおよび当て布の３層構造とするとともに当て布の伸縮率を裏布より小さくすることにより、着用者の動作時の身体の動きに追随してバストを支持でき、且つ着用者の動作によって生じるバストの脇流れやずれを抑制することを同時に達成できる脇流れ防止ブラジャーとするものである。
【課題を解決するための手段】
【００１０】
請求項１に係る発明は、右カップおよび左カップからなる左右１対のカップ部、前記カップ部の下部に位置する右カップ台および左カップ台からなる２枚のカップ台、右脇布および左脇布からなる左右２枚の脇布、ならびに右肩紐および左肩紐からなる左右２本の肩紐を備え、
前記カップ部は、裏布、当て布および表布から構成されており、
前記当て布は、前記カップ部のバストポイントからカップ中心とは反対側の前記カップ部の縁部に亘って設けられており、
前記右カップ台は、前記右カップ部の下縁部および前記左右２枚の脇布に縫着されており、
前記左カップ台は、前記左カップ部の下縁部および前記左右２枚の脇布に縫着されており、
前記２枚のカップ台は互いに縫着されておらず、それぞれ独立した状態で遊離していることを特徴とする、運動追随性ブラジャーに関する。
【００１１】
請求項２に係る発明は、前記カップ部は、着用者の肌側から、前記裏布、前記当て布および前記表布の順で積層されて構成されていることを特徴とする、請求項１に記載の運動追随性ブラジャーに関する。
【００１２】
請求項３に係る発明は、前記裏布および前記表布は、伸縮性の素材から形成されていることを特徴とする、請求項１または２に記載の運動追随性ブラジャーに関する。
【００１３】
請求項４に係る発明は、前記当て布は、前記裏布および前記表布よりも伸縮性の小さい伸縮性の素材から形成されていることを特徴とする、請求項１乃至３のいずれか１項に記載の運動追随性ブラジャーに関する。
【００１４】
請求項５に係る発明は、前記カップ部は、着用者の肌側から、前記裏布、パッド、前記当て布、および前記表布の順で積層されて構成されており、
前記パッドは、前記裏布、前記当て布および前記表布とは縫着されていないことを特徴とする、請求項１乃至４のいずれか１項に記載の運動追随性ブラジャーに関する。
【００１５】
請求項６に係る発明は、前記パッドは、前記カップ部から取り外し可能であることを特徴とする、請求項１乃至５のいずれか１項に記載の運動追随性ブラジャーに関する。
【００１６】
請求項７に係る発明は、前記カップ部は、前記カップ台のカップくり長に対して長くなるように裁断されており、前記カップ台にいせ込んで縫着されていることを特徴とする、請求項１乃至６のいずれか１項に記載の運動追随性ブラジャーに関する。
【００１７】
請求項８に係る発明は、前記当て布は、前記カップ部の前記バストポイントから前記カップ中心とは反対側の前記カップ部の縁部に縫着されていることを特徴とする、請求項１乃至７のいずれか１項に記載の運動追随性ブラジャーに関する。
【発明の効果】
【００１８】
請求項１に係る発明によれば、右カップおよび左カップからなる左右１対のカップ部、前記カップ部の下部に位置する右カップ台および左カップ台からなる２枚のカップ台、右脇布および左脇布からなる左右２枚の脇布、ならびに右肩紐および左肩紐からなる左右２本の肩紐を備え、前記カップ部は、裏布、当て布および表布から構成されており、前記当て布は、前記カップ部のバストポイントからカップ中心とは反対側の前記カップ部の縁部に亘って設けられており、前記右カップ台は、前記右カップ部の下縁部および前記左右２枚の脇布に縫着されており、前記左カップ台は、前記左カップ部の下縁部および前記左右２枚の脇布に縫着されており、前記２枚のカップ台は互いに縫着されておらず、それぞれ独立した状態で遊離しているという構成要件を備えることから、以下の効果を奏する。
【００１９】
カップ部は、裏布、当て布および表布から構成されており、当て布は、カップ部のバストポイントからカップ中心とは反対側のカップ部の縁部に亘って設けられているため、カップ台およびカップ部の運動追随性を妨げることなく、適度にバストを支持することができる。
それゆえに、優れた運動追随性とバストの脇流れ等のはみ出しやずれの防止を両立することができる。
【００２０】
右カップ台は、右カップ部の下縁部および左右２枚の脇布に縫着されており、左カップ台は、左カップ部の下縁部および左右２枚の脇布に縫着されており、２枚のカップ台は互いに縫着されておらず、それぞれ独立した状態で遊離しているため、左右のカップ部とカップ台がそれぞれ独立して動くことができる。
それゆえに、着用者の動作によって生じるカップ部とカップ台のずれが小さくなり、バストの位置変化や変形を防ぎ、バストの形を良好に保持するサポート機能をより高めつつも、遊離した部分によって通気性を保持して着用感をより高めることができるという優れた効果を奏する。
【００２１】
すなわち、本発明は、左右のカップ部とカップ台がそれぞれ独立して動くことができ、且つ当て布がこれらの独立した動きを妨げることなく適度にバストを支持することができるため、着用者の動作時の身体の動きに追随してバストを支持でき、且つ着用者の動作によって生じるバストの脇流れやずれを抑制することを同時に達成できるという優れた効果を奏する。
【００２２】
請求項２に係る発明によれば、前記カップ部は、着用者の肌側から、前記裏布、前記当て布および前記表布の順で積層されて構成されているため、カップ台およびカップ部の運動追随性を妨げることなく、適度にバストを支持することができ、より容易に請求項１に係る効果を奏することができる。
【００２３】
請求項３に係る発明によれば、前記裏布および前記表布は、伸縮性の素材から形成されているため、カップ部に伸縮性を持たせることができ、運動追随性をさらに高めることができる。
【００２４】
請求項４に係る発明によれば、前記当て布は、前記裏布および前記表布よりも伸縮性の小さい伸縮性の素材から形成されているため、ブラジャーの運動追随性を低下させることなくバストの脇流れやずれをより容易に防止することができる。
【００２５】
請求項５に係る発明によれば、前記カップ部は、着用者の肌側から、前記裏布、パッド、前記当て布、および前記表布の順で積層されて構成されており、前記パッドは、前記裏布、前記当て布および前記表布とは縫着されていないため、パッドがカップ部の運動を妨げることがない。
それゆえに、カップ部にパッドを設けた場合であっても、カップ台およびカップ部の運動追随性を維持することができ、且つパッドによるバストラインの形状矯正やバストの保持効果を得ることができる。
また、バストの脇流れやずれを防止する保持力が高まり、より容易にブラジャーの運動追随性を低下させることなくバストの脇流れやずれを防止することができる。
【００２６】
請求項６に係る発明によれば、前記パッドは、前記カップ部から取り外し可能であるため、着用者に合わせたパッドを選択でき、着心地をより向上させることができる。
また、パッドを外してブラジャーを着用することで、より圧迫感のない着用感を提供することができる。
パッドを外した場合でも、左右のカップ部とカップ台がそれぞれ独立して動くことができ、且つパッドや当て布がこれらの独立した動きを妨げることなく適度にバストを支持することができるという優れた効果を奏する。
【００２７】
請求項７に係る発明によれば、前記カップ部は、前記カップ台のカップくり長に対して長くなるように裁断されており、前記カップ台にいせ込んで縫着されているため、カップ部を立体的に形成することができ、着心地をより向上させることができる。
【００２８】
請求項８に係る発明によれば、前記当て布は、前記カップ部の前記バストポイントから前記カップ中心とは反対側の前記カップ部の縁部に縫着されているため、当て布によるバスト保持力をより高めることができる。
【図面の簡単な説明】
【００２９】
【図１】本発明に係るブラジャーの正面図である。
【図２】本発明に係るブラジャーの表布を取り外した状態を示す正面図である。
【図３】本発明に係るブラジャーの正面図であって、バストポイントを説明する図である。
【図４】本発明に係るブラジャーのパッドを挿入していない状態を示す背面図である。
【図５】本発明に係るブラジャーのパッドを挿入した状態を示す背面図である。
【図６】（Ａ）は図３のＡ−Ａ端面図、（Ｂ）は図３のＢ−Ｂ端面図、（Ｃ）は図３のＣ−Ｃ端面図である。
【発明を実施するための形態】
【００３０】
以下、本発明に係る運動追随性ブラジャーについて、図面を参照しつつ詳細に説明する。
本明細書で使用する「身幅方向」とは着用者の左右のバストトップ位置を結ぶ直線の方向を意味し、「着丈方向」とは着用者の体の縦方向（すなわち、着用者の身長方向）を意味する。
本明細書で使用する「融通性」とは、「着用者の運動による体の変形に追従して、ブラジャーが変形する性質」を意味する。
本明細書で使用する「表側」とはブラジャーの表側（すなわち、着用者の肌側とは反体の面側）を意味し、「肌側」とは着用者の肌に面する側を意味する。
【００３１】
図１〜図２に示すように、本発明に係る運動追随性ブラジャー（１）（以下、単に「ブラジャー（１）」と称する）は、右カップ（２Ａ）（以下、右カップ部とも称する）および左カップ（２Ｂ）（以下、左カップ部とも称する）からなる左右一対のカップ部（２Ａ，２Ｂ）、右カップ部（２Ａ）の下部に位置する右カップ台（３Ａ）および左カップ部（２Ｂ）の下部に位置する左カップ台（３Ｂ）からなる２枚のカップ台（３Ａ，３Ｂ）、右脇布（４Ａ）および左脇布（４Ｂ）からなる左右２枚の脇布（４Ａ，４Ｂ）、ならびに右肩紐（５Ａ）および左肩紐（５Ｂ）からなる肩紐（５Ａ，５Ｂ）から構成されている。
【００３２】
カップ部（２Ａ，２Ｂ）は、着用者のバストを覆う椀状の左右一対の部材（右カップ部（２Ａ）および左カップ部（２Ｂ））から構成されている。カップ部（２Ａ，２Ｂ）は、裏布（２Ａ１，２Ｂ１）、当て布（２Ａ３，２Ｂ３）および表布（２Ａ４，２Ｂ４）から構成されている。
図１〜図２および図４に示すように、右カップ部（２Ａ）は、着用者の肌側から、右裏布（２Ａ１）、右パッド（２Ａ２）および右当て布（２Ａ３）の順で積層されて構成されている。
左カップ部（２Ｂ）は、着用者の肌側から、左裏布（２Ｂ１）、左パッド（２Ｂ２）および左当て布（２Ｂ３）の順で積層されて構成されている。
尚、パッド（２Ａ２，２Ｂ２）は、ブラジャー（１）の必須の構成ではなく、カップ部（２Ａ，２Ｂ）に設けられていなくても良い。
右カップ部（２Ａ）の上縁部（２ＡＵ）は右肩紐（５Ａ）の始端（５Ａ１）と縫着されており、下縁部（２ＡＤ）は右カップ台（３Ａ）の右上縁部（３ＡＵＲ）と縫着されており、左縁部（２ＡＬ）は左カップ部（２Ｂ）の右縁部（２ＢＲ）と縫着されており、この部分をカップ中心（ＣＣ）と称する。
左カップ部（２Ｂ）の上縁部（２ＢＵ）は左肩紐（５Ｂ）の始端（５Ｂ１）と縫着されており、下縁部（２ＢＤ）は左カップ台（３Ｂ）の左上縁部（３ＢＵＬ）と縫着されており、右縁部（２ＢＲ）は右カップ部（２Ａ）の左縁部（２ＡＬ）と縫着されている。
尚、裏布（２Ａ１，２Ｂ１）は、当て布（２Ａ３，２Ｂ３）よりも表側に位置していても良い。
【００３３】
パッド（２Ａ２，２Ｂ２）は、裏布（２Ａ１，２Ｂ１）、当て布（２Ａ３，２Ｂ３）および表布（２Ａ４，２Ｂ４）とは縫着されておらず、独立している。
パッド（２Ａ２，２Ｂ２）が裏布（２Ａ１，２Ｂ１）、当て布（２Ａ３，２Ｂ３）および表布（２Ａ４，２Ｂ４）に縫着されていないことにより、着用者の動作時に生じるカップ部（２Ａ，２Ｂ）の伸縮等の動きをパッド（２Ａ２，２Ｂ２）が妨げることがないため、ブラジャー（１）の運動追随性を損なうことなく、パッド（２Ａ２，２Ｂ２）によるバストラインの形状矯正やバストの保持効果を得ることができる。
また、パッド（２Ａ２，２Ｂ２）が裏布（２Ａ１，２Ｂ１）、当て布（２Ａ３，２Ｂ３）および表布（２Ａ４，２Ｂ４）に縫着されていないことにより、バストにあわせてトップの位置やカップの容量を調節することができ、カップの融通性をさらに向上させることができる。
尚、パッド（２Ａ２，２Ｂ２）の材質や形状は特に限定されず、ブラジャーに通常用いられている材質や形状を備えるパッドであればいかなるものでも用いることができる。
【００３４】
図４〜図５に示すように、パッド（２Ａ２，２Ｂ２）は、裏布（２Ａ１，２Ｂ１）と当て布（２Ａ３，２Ｂ３）の間に形成されたポケット（Ｐ）に収納されている。
また、裏布（２Ａ１，２Ｂ１）に開口部（Ｏ）を設けて、ポケット（Ｐ）としても良い。
これにより、パッド（２Ａ２，２Ｂ２）は、カップ部（２Ａ，２Ｂ）から夫々取り外し可能となる。
裏布（２Ａ１，２Ｂ１）が開口部（Ｏ）を備えていることによって、着用者のバストに適したパッド（２Ａ２，２Ｂ２）を選択してポケット（Ｐ）に収納することができ、ブラジャー（１）の着心地やサイズ融通性をさらに向上させることができる。
また、パッド（２Ａ２，２Ｂ２）を外した状態でブラジャー（１）を着用することもでき、胸に対する圧迫感をより減少させることができる。
パッド（２Ａ２，２Ｂ２）を外した状態でブラジャー（１）を着用した場合でも、本発明のブラジャー（１）は、左右のカップ部（２Ａ，２Ｂ）とカップ台（３Ａ，３Ｂ）がそれぞれ独立して動くことができ、且つ当て布（２Ａ３，２Ｂ３）がこれらの独立した動きを妨げることなく適度にバストを支持することができるため、優れた運動追随性とバストの脇流れ等のはみ出しやズレの防止を両立できるという優れた効果を奏することができる。
尚、ポケット（Ｐ）の形状は特に限定されず、パッド（２Ａ２，２Ｂ２）を収納できる空間を備えているものであれば、いかなる形状であっても良い。
【００３５】
カップ部（２Ａ，２Ｂ）は、さらに表布（２Ａ４，２Ｂ４）を備えている。
右カップ部（２Ａ）は、着用者の肌側から、右裏布（２Ａ１）、右パッド（２Ａ２）、右当て布（２Ａ３）、および右表布（２Ａ４）の順で積層されて構成され、左カップ部（２Ｂ）は、着用者の肌側から、左裏布（２Ｂ１）、左パッド（２Ｂ２）、左当て布（２Ｂ３）、および左表布（２Ｂ４）の順で積層されて構成される。
尚、表布（２Ａ４，２Ｂ４）は、当て布（２Ａ３，２Ｂ３）よりも肌側に位置していても良い。
【００３６】
裏布（２Ａ１，２Ｂ１）および表布（２Ａ４，２Ｂ４）は、伸縮性の素材から形成されている。
裏布（２Ａ１，２Ｂ１）および表布（２Ａ４，２Ｂ４）が伸縮性を有することにより、着用者の動作時に生じるカップ台（３Ａ，３Ｂ）の独立した動きを肩紐（５Ａ，５Ｂ）にスムーズに伝達することができる。
また、着用者の動作時に生じる肩紐（５Ａ，５Ｂ）の動きをカップ台（３Ａ，３Ｂ）にスムーズに伝達することができる。
これにより、ブラジャー（１）は、より優れた運動追随性を得ることができる。
また、カップ部（２Ａ，２Ｂ）が伸縮性を備えることにより、優れたフィット感やサイズ融通性を備えた、日々のバストサイズの変化に対応できるブラジャーとすることができる。
尚、裏布（２Ａ１，２Ｂ１）および表布（２Ａ４，２Ｂ４）に用いる伸縮性の素材には、縦横両方向に自在に伸縮するツーウェイ伸縮布や、一方向にのみ伸縮するワンウェイ伸縮布等、所望の伸縮性の素材を用いることができるが、より優れた運動追随性を得ることができるという観点から、縦横両方向に自在に伸縮するツーウェイ伸縮布を用いることがより望ましい。
また、裏布（２Ａ１，２Ｂ１）および表布（２Ａ４，２Ｂ４）には、ブラジャー（１）の通気性を高めるために、伸縮性のあるメッシュ素材を用いても良い。
裏布（２Ａ１，２Ｂ１）および表布（２Ａ４，２Ｂ４）は、カップ部（２Ａ，２Ｂ）の上縁部（２ＡＵ，２ＢＵ）、下縁部（２ＡＤ，２ＢＤ）、右縁部（２ＡＲ，２ＢＲ）、および左縁部（２ＡＬ，２ＢＬ）の位置で、互いに縫着されている。
尚、裏布（２Ａ１，２Ｂ１）の開口部（Ｏ）に位置する部分は縫着されていない。
【００３７】
叙上の通り、カップ部（２Ａ，２Ｂ）は当て布（２Ａ３，２Ｂ３）を備えている。
図１〜図２に示すように、右当て布（２Ａ３）は、右カップ部（２Ａ）のバストポイント（ＢＰ）から右カップ部（２Ａ）の右縁部（２ＡＲ）に亘って設けられている。
左当て布（２Ｂ３）は、左カップ部（２Ｂ）のバストポイント（ＢＰ）から左カップ部（２Ｂ）の左縁部（２ＡＬ）に亘って設けられている。
尚、当て布（２Ａ３，２Ｂ３）は、バストポイント（ＢＰ）よりもカップ中心（ＣＣ）方向よりの位置から設けられていても良い。
右当て布（２Ａ３）は、右カップ部（２Ａ）の右縁部（２ＡＲ）、上縁部（２ＡＵ）および下縁部（２ＡＤ）において、右裏布（２Ａ１）および右表布（２Ａ４）と共に縫着されている。
尚、右当て布（２Ａ３）は、右カップ部（２Ａ）の右縁部（２ＡＲ）、上縁部（２ＡＵ）および下縁部（２ＡＤ）のいずれか１箇所以上に縫着されていれば良い。
左当て布（２Ｂ３）は、左カップ部（２Ｂ）の左縁部（２ＢＬ）、上縁部（２ＢＵ）および下縁部（２ＢＤ）において、左裏布（２Ｂ１）および左表布（２Ｂ４）と共に縫着されている。
尚、左当て布（２Ｂ３）は、左カップ部（２Ｂ）の左縁部（２ＢＬ）、上縁部（２ＢＵ）および下縁部（２ＢＤ）のいずれか１箇所以上に縫着されていれば良い。
また、表布（２Ａ４，２Ｂ４）を設けている場合、当て布（２Ａ３，２Ｂ３）のカップ中心側縁部（２Ａ３Ｃ，２Ｂ３Ｃ）は、表布（２Ａ４，２Ｂ４）に縫着されていても良い。
当て布（２Ａ３，２Ｂ３）のカップ中心側縁部（２Ａ３Ｃ，２Ｂ３Ｃ）が表布（２Ａ４，２Ｂ４）に縫着されていることにより、当て布（２Ａ３，２Ｂ３）のバスト支持力をより向上させることができる。
当て布（２Ａ３，２Ｂ３）が設けられていることによって、カップ台（３Ａ，３Ｂ）およびカップ部（２Ａ，２Ｂ）の運動追随性を妨げることなく、適度にバストを支持することができる。
それゆえに、優れた運動追随性とバストの脇流れ等のはみ出しやズレの防止を両立することができる。
【００３８】
本発明において、バストポイント（ＢＰ）は、図３に示すように定める。
具体的には、カップ渡り（カップ部の身幅方向の幅の最も長いところ）において、右カップ部（２Ａ）の左縁部（２ＡＬ）または左カップ部（２Ｂ）の右縁部（２ＢＲ）からバストポイント（ＢＰ）までの距離（Ｂ１）と、バストポイント（ＢＰ）から右カップ部（２Ａ）の右縁部（２ＡＲ）または左カップ部（２Ｂ）の左縁部（２ＢＬ）までの距離（Ｂ２）の比率が、３：７〜５：５の範囲となるようにバストポイント（ＢＰ）を設ける。
【００３９】
当て布（２Ａ３，２Ｂ３）は、裏布（２Ａ１，２Ｂ１）および表布（２Ａ４，２Ｂ４）よりも伸縮性の小さい伸縮性の素材から形成されている。
当て布（２Ａ３，２Ｂ３）が裏布（２Ａ１，２Ｂ１）および表布（２Ａ４，２Ｂ４）よりも伸縮性が小さいことにより、カップ部（２Ａ，２Ｂ）の伸縮性を維持することができ、且つ適度なバストの支持力を提供することができる。
それゆえに、優れた運動追随性とバストの脇流れ等のはみ出しやずれの防止をより容易に両立することができる。
当て布（２Ａ３，２Ｂ３）は、裏布（２Ａ１，２Ｂ１）および／または表布（２Ａ４，２Ｂ４）と同じ素材を用いることもできるが、同じ素材を用いる場合は、当て布（２Ａ３，２Ｂ３）の地の目を変えて、縦方向および／または横方向の伸縮性を裏布（２Ａ１，２Ｂ１）および表布（２Ａ４，２Ｂ４）の伸縮性を小さくする必要がある。
尚、当て布（２Ａ３，２Ｂ３）に用いる伸縮性の素材には、縦横両方向に自在に伸縮するツーウェイ伸縮布や、一方向にのみ伸縮するワンウェイ伸縮布等、所望の伸縮性の素材を用いることができる。
【００４０】
当て布（２Ａ３，２Ｂ３）は、網（ネット）状であっても良い。
当て布（２Ａ３，２Ｂ３）を網状にすることにより、網目の分だけ当て布（２Ａ３，２Ｂ３）が伸縮することができ、より適切なバスト支持力と伸縮性を備えた当て布（２Ａ３，２Ｂ３）とすることができる。
尚、当て布（２Ａ３，２Ｂ３）を網状とする場合、当て布（２Ａ３，２Ｂ３）自身に伸縮性が無くとも、網目の分だけ当て布（２Ａ３，２Ｂ３）が伸縮することができるため、当て布（２Ａ３，２Ｂ３）を伸縮性の無い素材から形成しても良い。
【００４１】
このように、伸縮性のあるカップ部（２Ａ，２Ｂ）に当て布（２Ａ３，２Ｂ３）を設けることにより、カップ部（２Ａ，２Ｂ）の当て布（２Ａ３，２Ｂ３）を設けていない部分と当て布（２Ａ３，２Ｂ３）を設けている部分に伸縮性およびバスト支持力に違いを出すことができる。
当て布（２Ａ３，２Ｂ３）をバストポイント（ＢＰ）からカップ中心とは反対側のカップ部（２Ａ，２Ｂ）の縁部（すなわち、右カップ部（２Ａ）の右縁部（２ＡＲ）または左カップ部（２Ｂ）の左縁部（２ＢＬ））に亘って設けることで、当て布（２Ａ３，２Ｂ３）を設けた部分のバスト支持力が高められ、バストが脇へ流れることを防止することができる。
また、カップ部（２Ａ，２Ｂ）から肩紐（５Ａ，５Ｂ）へ引き上げる力が連動し、カップ部（２Ａ，２Ｂ）の下縁部（２ＡＤ，２ＢＤ）から脇側のバストが引き上げられてバスト中心側へと押されることで脇をすっきりさせることができ、バストの脇流れや下垂を防止することができる。
カップ部（２Ａ，２Ｂ）の当て布（２Ａ３，２Ｂ３）が設けられていないカップ中心（ＣＣ）側の部分は、当て布（２Ａ３，２Ｂ３）が設けられている部分よりも伸縮性があるため、脇から寄せられたバストが中心側に収まり、丸いシルエットの美しいバスト形状とすることができる。
このように、本発明のブラジャー（１）は、カップの形状を作りこまなくとも、カップ部（２Ａ，２Ｂ）の部位によって伸縮性やバスト支持力を変えることにより、バランスの取れた自然な丸みのあるスッキリとしたシルエットを形成することができ、且つ優れた運動追随性とバストの脇流れ等のはみ出しやズレの防止を両立することができる。
【００４２】
右カップ台（３Ａ）は、右カップ部（２Ａ）の下縁部（２ＡＤ）、右脇布（４Ａ）および左脇布（４Ｂ）に縫着されており、左カップ台（３Ｂ）は、左カップ部（２Ｂ）の下縁部（２ＢＤ）、右脇布（４Ａ）および左脇布（４Ｂ）に縫着されており、右カップ台（３Ａ）と左カップ台（３Ｂ）は互いに縫着されておらず、互いに独立して動くことができるように構成されている。
カップ台（３Ａ，３Ｂ）は、上縁部（３ＡＵ，３ＢＵ）がカップ部（２Ａ，２Ｂ）の下縁部（２ＡＤ，２ＢＤ）の形状と同様に湾曲している。
右カップ台（３Ａ）は、右上縁部（３ＡＵＲ）が右カップ部（２Ａ）の下縁部（２ＡＤ）に縫着されており、右縁部（３ＡＲ）が右脇布（４Ａ）の左縁部（４ＡＬ）に縫着されており、左縁部（３ＡＬ）が左脇布（４Ｂ）の右縁部（４ＢＲ）に縫着されている。
左カップ台（３Ｂ）は、左上縁部（３ＢＵ）が左カップ部（２Ｂ）の下縁部（２ＢＤ）に縫着されており、左縁部（３ＢＬ）が左脇布（４Ｂ）の右縁部（４ＢＲ）に縫着されており、右縁部（３ＢＲ）が右脇布（４Ａ）の左縁部（４ＡＬ）に縫着されている。
【００４３】
右カップ台（３Ａ）の右上縁部（３ＡＵＲ）の身幅方向の長さは特に限定されず、右上縁部（３ＡＵＲ）の長さは右カップ部（２Ａ）の下縁部（２ＡＤ）の長さよりやや短くしても良く、同じでも良く、やや長くしても良い。
左カップ台（３Ｂ）の左上縁部（３ＢＵＬ）の身幅方向の長さは特に限定されず、左上縁部（３ＢＵＬ）の長さは左カップ部（２Ｂ）の下縁部（２ＢＤ）の長さよりやや短くしても良く、同じでも良く、やや長くしても良い。
【００４４】
右カップ台（３Ａ）の右上縁部（３ＡＵＲ）の身幅方向の長さを右カップ部（２Ａ）の下縁部（２ＡＤ）の長さよりも短く、左カップ台（３Ｂ）の左上縁部（３ＢＵＬ）の身幅方向の長さを左カップ部（２Ｂ）の下縁部（２ＢＤ）の長さよりも短くした場合、左右のカップ台（３Ａ，３Ｂ）を重ねることにより、ブラジャー（１）のカップ中心（ＣＣ）に空間（６）が形成される。
この空間（６）により、ブラジャー（１）の通気性が高められるとともに、カップ部（２Ａ，２Ｂ）の融通性も更に高められる。
【００４５】
尚、カップ部（２Ａ，２Ｂ）は、カップ台（３Ａ，３Ｂ）のカップくり長（すなわち、右カップ台（３Ａ）の右上縁部（３ＡＵＲ）および左カップ台（３Ｂ）の左上縁部（３ＢＵＬ））に対して長くなるように裁断され、カップ台（３Ａ，３Ｂ）にいせ込んで縫着されていることが望ましい。
これにより、カップ部（２Ａ，２Ｂ）を立体的に形成することができ、バストが潰れることを防ぎ、カップ部（２Ａ，２Ｂ）の下縁部（２ＡＤ，２ＢＤ）をはっきりさせることができ、丸胸を形成することができる。
また、カップ部（２Ａ，２Ｂ）が立体的になることで、カップ台（３Ａ，３Ｂ）とカップ部（２Ａ，２Ｂ）の境界をはっきりさせることができ、カップ台（３Ａ，３Ｂ）およびカップ部（２Ａ，２Ｂ）を安定させて、ずれにくくすることができる。
この場合も、左右のカップ台（３Ａ，３Ｂ）を重ねることにより、ブラジャー（１）のカップ中心（ＣＣ）に空間（６）が形成され、この空間（６）により、ブラジャー（１）の通気性が高められるとともに、カップ部（２Ａ，２Ｂ）の融通性も更に高めることができる。
【００４６】
左右のカップ台（３Ａ，３Ｂ）の左右縁部（３ＡＲ，３ＡＬ，３ＢＲ，３ＢＬ）の着丈方向の長さは特に限定されない。
図１においては、右カップ台（３Ａ）は、その右縁部（３ＡＲ）が左縁部（３ＡＬ）よりも長く、左カップ台（３Ｂ）は、その左縁部（３ＢＬ）が右縁部（３ＢＲ）よりも長く形成されている。
本発明のブラジャー（１）においては、左右縁部（３ＡＲ，３ＡＬ，３ＢＲ，３ＢＬ）の着丈方向の長さは特に限定されず、例えば、両者を同じ長さにすることも可能である。
右縁部（３ＡＲ）が左縁部（３ＡＬ）よりも長い左右非対称の右カップ台（３Ａ）と、左縁部（３ＢＬ）が右縁部（３ＢＲ）よりも長い左右非対称の左カップ台（３Ｂ）を用いることにより、２枚のカップ台（３Ａ，３Ｂ）が交差するように重なる。
この場合、右カップ台（３Ａ）は右上方向に、左カップ台（３Ｂ）は左上方向に伸長しやすくなる。
したがって、右カップ台（３Ａ）と左カップ台（３Ｂ）の斜め方向の伸長が促進されて、カップ部（２Ａ，２Ｂ）の融通性が一層高められることにより、右カップ部（２Ａ）と左カップ部（２Ｂ）が、それぞれ身体の動きによりスムーズに対応することが可能となる。
また、右カップ台（３Ａ）の右縁部（３ＡＲ）を左縁部（３ＡＬ）よりも長く、左カップ台（３Ｂ）の左縁部（３ＢＬ）を右縁部（３ＢＲ）よりも長くすることにより、これらが重ねられると、右カップ台（３Ａ）と左カップ台（３Ｂ）がほぼＸ字状に交差する。
このようなほぼＸ字状のカップ台（３Ａ，３Ｂ）は、カップ部（２Ａ，２Ｂ）の融通性をより一層高めることができる。
【００４７】
図１に示す如く、本発明のブラジャー（１）は、２枚のカップ台（３Ａ，３Ｂ）がカップ部（２Ａ，２Ｂ）の下方において重なっている。
このように、カップ台（３Ａ，３Ｂ）が二重に備わることにより、ブラジャー（１）の乳房保持機能が高められ、ブラジャー（１）の身体への安定性を高めることができる。
【００４８】
また、右カップ台（３Ａ）と左カップ台（３Ｂ）は互いに縫着されておらず、独立した状態、即ち両者は遊離している。
したがって、遊離した右カップ台（３Ａ）と左カップ台（３Ｂ）に縫着される右カップ部（２Ａ）と左カップ部（２Ｂ）は、それぞれ優れた融通性を有している。
例えば、腕を上下や前後に動かしたり身体を捩じらせたりする時、胸部を捩じらせる上半身の運動を行った時、或いは具体的には洗濯物を干したり取り入れたりする作業の時、更には掃除等の日常の家事労働をする時には、カップ部（２Ａ，２Ｂ）が乳房の動きにスムーズに対応できる。
即ち、運動していない直立姿勢の状態では、ブラジャー（１）は２枚のカップ台（３Ａ，３Ｂ）により身体に安定に固定されている。
また、着用者が運動する時には、カップ部（２Ａ，２Ｂ）が乳房の動きに追随する。
従って、本発明のブラジャー（１）は、優れた着心地を提供することができる。
【００４９】
カップ台（３Ａ，３Ｂ）に用いられる素材は特に限定されないが、カップ部（２Ａ，２Ｂ）の融通性を高めるために、縦横両方向に自在に伸縮するツーウェイ伸縮布や、一方向にのみ伸縮するワンウェイ伸縮布などの、伸縮性の素材を用いるのが好ましい。
また、メッシュ素材を用いると、ブラジャーの通気性を高めることができるのでより好ましい。
【００５０】
次に、図６を用いて、カップ部（２Ａ，２Ｂ）およびカップ台（３Ａ，３Ｂ）の積層構造を説明する。
図６の（Ａ）は図３のＡ−Ａ端面図、（Ｂ）は図３のＢ−Ｂ端面図、（Ｃ）は、図３のＣ−Ｃ端面図である。
図６の（Ａ）に示すように、右カップ部（２Ａ）は、ブラジャー（１）の肌側から、右裏布（２Ａ１）、右パッド（２Ａ２）、右当て布（２Ａ３）および右表布（２Ａ４）の順で積層されている。
また、右カップ部（２Ａ）の下縁部（２ＡＤ）には右カップ台（３Ａ）の上縁部（３ＡＵ）が縫着されている。
加えて、右カップ台（３Ａ）よりも肌側には、空間を隔てて左カップ台（３Ｂ）が配置されている。
【００５１】
図６の（Ｂ）に示すように、カップ中心（ＣＣ）（すなわち、右カップ部（２Ａ）の左縁部（２ＡＬ）と左カップ部（２Ｂ）の右縁部（２ＢＲ）が縫着されている部分）の下方には、空間を隔てて、肌側に左カップ台（３Ｂ）、表側に右カップ台（３Ａ）が配置されている。
【００５２】
図６の（Ｃ）に示すように、左カップ部（２Ｂ）は、ブラジャー（１）の肌側から、左裏布（２Ｂ１）、左パッド（２Ｂ２）、左当て布（２Ｂ３）および左表布（２Ｂ４）の順で積層されている。
また、左カップ部（２Ｂ）の下縁部（２ＢＤ）には左カップ台（３Ｂ）の上縁部（３ＢＵ）が縫着されている。
加えて、左カップ台（３Ｂ）よりも表側には、空間を隔てて右カップ台（３Ａ）が配置されている。
【００５３】
右脇布（４Ａ）および左脇布（４Ｂ）は、着用者の脇側を覆う略台形状の部材から形成されている。
図１に示すように、右脇布（４Ａ）の左縁部（４ＡＬ）には、右カップ台（３Ａ）の右縁部（３ＡＲ）と左カップ台（３Ｂ）の右縁部（３ＢＲ）が一体的に縫着されている。
右脇布（４Ａ）と同様に、左脇布（４Ｂ）の右縁部（４ＢＲ）には、左カップ台（３Ｂ）の左縁部（３ＢＬ）と右カップ台（３Ａ）の左縁部（３ＡＬ）が一体的に縫着されている。
【００５４】
脇布（４Ａ，４Ｂ）に用いられる素材は特に限定されないが、通気性のよい素材や伸縮性が高い素材を使用することが好ましい。
【００５５】
右脇布（４Ａ）の左縁部（４ＡＬ）および左脇布（４Ｂ）の右縁部（４ＢＲ）には、右カップ台（３Ａ）および左カップ台（３Ｂ）が縫着されており、右脇布（４Ａ）の右縁部（４ＡＲ）および左脇布（４Ｂ）の左縁部（４ＢＬ）には連結係止部（７）が設けられている。
図１に示すように、本発明に係るブラジャー（１）では、連結係止部（７）を使用しているが、他の種類の係止具を使用してもよい。
例えば、面ファスナー、グリッパー、ボタンなどを適宜選択して使用することができる。また、連結係止部（７）を設けないブラジャーであっても、本発明に係るブラジャー（１）の効果を発揮することができる。
【００５６】
右肩紐（５Ａ）の始端（５Ａ１）は右カップ部（２Ａ）の上縁部（２ＡＵ）に連結し、終端（５Ａ２）は右脇布（４Ａ）の上縁部（４ＡＵ）に縫着されている。
左肩紐（５Ｂ）の始端（５Ｂ１）は左カップ部（２Ｂ）の上縁部（２ＢＵ）に連結し、終端（５Ｂ２）は左脇布（４Ｂ）の上縁部（４ＢＵ）に縫着されている。
肩紐（５Ａ，５Ｂ）がカップ部（２Ａ，２Ｂ）に連結されているため、着用時に肩紐（５Ａ，５Ｂ）の引っ張り力によって、カップ部（２Ａ，２Ｂ）が上方に引き上げられる。
そして、この肩紐（５Ａ，５Ｂ）の引き上げ力により、カップ部（２Ａ，２Ｂ）をバストの位置に適切に配置させることができ、ブラジャーの運動追随性およびバストの脇流れの抑制力を高めることができる。
肩紐（５Ａ，５Ｂ）はカップ部（２Ａ，２Ｂ）と一体的に形成されていても良く、別体として縫着等により連結されていても良い。
なお、肩紐（５Ａ，５Ｂ）がカップ部（２Ａ，２Ｂ）と一体的に形成されている方が、着用時の肩紐（５Ａ，５Ｂ）の引っ張り力を高めることができ、運動追随性およびバストの脇流れの抑制力をより高めることができるためより好ましい。
右肩紐（５Ａ）の終端（５Ａ２）および左肩紐（５Ｂ）の終端（５Ｂ２）は、それぞれ右脇布（４Ａ）の上縁部（４ＡＵ）および左脇布（４Ｂ）の上縁部（４ＢＵ）と一体的に形成されていても良く、別体として縫着等により連結されていても良い。
また、左右の肩紐（５Ａ，５Ｂ）が着用者の背中側で交差するように、右肩紐（５Ａ）の終端（５Ａ２）は左脇布（４Ｂ）の上縁部（４ＢＵ）に連結され、左肩紐（５Ｂ）の終端（５Ｂ２）は右脇布（４Ａ）の上縁部（４ＡＵ）に連結されていても良い。
尚、本発明において、着用者の背中側のブラジャー（１）の構成（バックスタイル）は特に限定されず、例えばＵ字バックやバックにつなぎが無いステップイン式等、ブラジャーのバックスタイルとして通常用いられる構成であればいかなる構成であっても良く、所望のバックスタイルとなるように肩紐（５Ａ，５Ｂ）および脇布（４Ａ，４Ｂ）の形状を適宜変更することができる。
【００５７】
肩紐（５Ａ，５Ｂ）に用いられる素材は特に限定されないが、伸縮性素材を用いることが望ましい。
【００５８】
本発明のブラジャー（１）は、ワイヤー入りブラジャーとしても、ノンワイヤーブラジャーとしても良いが、優れた運動追随性を発揮でき、着心地に優れているという観点から、ノンワイヤーブラジャーとすることが望ましい。
本発明のブラジャー（１）は、胸が潰れて脇に流れる、胸の立ち上がりがはっきりせず動くとずれやすい、補正力が弱い、バストが下垂しやすい、カップサイズの融通性がない等の、従来のノンワイヤーブラジャーの問題点を解消することができる。
【産業上の利用可能性】
【００５９】
本発明は一般のブラジャーとして用いることができ、本発明によれば、カップ部を裏布、当て布および表布の３層構造とするとともに、当て布の伸縮率を裏布より小さくすることにより、カップ部が着用者の動作時の身体の動きに追随してバストを支持できるとともに、バストの脇流れやずれを抑制できる運動追随性ブラジャーとすることができる。
【符号の説明】
【００６０】
１        ブラジャー
２Ａ      右カップ部
２Ａ１    右裏布
２Ａ２    右パッド
２Ａ３    右当て布
２Ａ４    右表布
２Ｂ      左カップ部
２Ｂ１    左裏布
２Ｂ２    左パッド
２Ｂ３    左当て布
２Ｂ４    左表布
３Ａ      右カップ台
３Ｂ      左カップ台
４Ａ      右脇布
４Ｂ      左脇布
５Ａ      右肩紐
５Ｂ      左肩紐
ＢＰ      バストポイント
【図１】
2020128605.tif 000003
【図２】
2020128605.tif 000004
【図３】
2020128605.tif 000005
【図４】
2020128605.tif 000006
【図５】
2020128605.tif 000007
【図６】
2020128605.tif 000008
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
右カップ部および左カップ部からなる左右１対のカップ部、前記カップ部の下部に位置する右カップ台および左カップ台からなる２枚のカップ台、右脇布および左脇布からなる左右２枚の脇布、ならびに右肩紐および左肩紐からなる左右２本の肩紐を備え、
前記カップ部は、裏布、当て布および表布から構成されており、
前記当て布は、前記カップ部のバストポイントからカップ中心とは反対側の前記カップ部の縁部に亘って設けられており、
前記右カップ台は、前記右カップ部の下縁部および前記左右２枚の脇布に縫着されており、
前記左カップ台は、前記左カップ部の下縁部および前記左右２枚の脇布に縫着されており、
前記２枚のカップ台は互いに縫着されておらず、それぞれ独立した状態で遊離しており、
前記カップ部は、着用者の肌側から、前記裏布、前記当て布および前記表布の順で積層されて構成されており、
前記裏布および前記表布は、縦横両方向に自在に伸縮するツーウェイ伸縮布から形成されており、
前記当て布は、前記裏布および前記表布よりも伸縮性の小さい伸縮性の素材から形成されていることを特徴とする運動追随性ブラジャー。
【請求項２】
前記カップ部は、着用者の肌側から、前記裏布、パッド、前記当て布、および前記表布の順で積層されて構成されており、
前記パッドは、前記裏布、前記当て布および前記表布とは縫着されていないことを特徴とする、請求項１に記載の運動追随性ブラジャー。
【請求項３】
前記パッドは、前記カップ部から取り外し可能であることを特徴とする、請求項２に記載の運動追随性ブラジャー。
【請求項４】
前記カップ部は、前記カップ台のカップくり長に対して長くなるように裁断されており、前記カップ台にいせ込んで縫着されていることを特徴とする、請求項１乃至３のいずれか１項に記載の運動追随性ブラジャー。
【請求項５】
前記当て布は、前記カップ部の前記バストポイントから前記カップ中心とは反対側の前記カップ部の縁部に縫着されていることを特徴とする、請求項１乃至４のいずれか１項に記載の運動追随性ブラジャー。
【請求項６】
ノンワイヤーブラジャーであることを特徴とする請求項１乃至５のいずれか１項に記載の運動追随性ブラジャー。